(57)【要約】【課題】変換装置において、レイヤ２網と非同期網をまたいだ導通確認を行うことを目的とする。【解決手段】レイヤ２網と非同期網に接続されてレイヤ２網のフレームと非同期網のセルの相互変換を行う変換装置において、前記レイヤ２網から受信したチェックフレームを前記非同期網のチェックセルに変換し前記非同期網に送信する第１変換手段と、前記非同期網から受信したチェックセルを前記レイヤ２網のチェックフレームに変換し前記レイヤ２網に送信する第２変換手段と、を有する。【選択図】  図３
2010098433.tif 000002
【特許請求の範囲】
【請求項１】
レイヤ２網と非同期網に接続されてレイヤ２網のフレームと非同期網のセルの相互変換を行う変換装置において、
前記レイヤ２網から受信したチェックフレームを前記非同期網のチェックセルに変換し前記非同期網に送信する第１変換手段と、
前記非同期網から受信したチェックセルを前記レイヤ２網のチェックフレームに変換し前記レイヤ２網に送信する第２変換手段と、
を有することを特徴とする変換装置。
【請求項２】
請求項１記載の変換装置において、
前記レイヤ２網の仮想ネットワーク識別子と前記非同期網の仮想チャネル又は仮想パスとの対応テーブルを有し、
前記第１変換手段は、前記レイヤ２網から受信したチェックフレームを前記対応テーブルに基づいて前記非同期網のチェックセルに変換し、
前記第２変換手段は、前記非同期網から受信したチェックセルを前記対応テーブルに基づいて前記レイヤ２網のチェックフレームに変換する
ことを特徴とする変換装置。
【請求項３】
請求項２記載の変換装置において、
前記第１変換手段は、前記非同期網へのチェックセル又はユーザデータセルの送信からの経過時間が所定周期となった時に前記チェックセルを前記レイヤ２網に送信する
ことを特徴とする変換装置。
【請求項４】
請求項３記載の変換装置において、
前記非同期網からのチェックセル又はユーザデータセルの受信を継続している時、所定周期でチェックフレームを生成し前記レイヤ２網に送信するチェックフレーム生成手段を
有することを特徴とする変換装置。
【請求項５】
請求項４記載の変換装置において、
前記非同期網からのチェックセル又はユーザデータのセルの受信が前記所定周期より大きい所定期間を超えた時、チェックセルのアラームを発生するアラーム発生手段を
有することを特徴とする変換装置。
【発明の詳細な説明】
【技術分野】
【０００１】
本発明は、レイヤ２網と非同期網に接続されてレイヤ２網のフレームと非同期網のセルの相互変換を行う変換装置に関する。
【背景技術】
【０００２】
近年、ＷＡＮ（Ｗｉｄｅ  Ａｒｅａ  Ｎｅｔｗｏｒｋ）と呼ばれるキャリアによるネットワークサービスとして広域イーサネット（イーサネットは登録商標）サービスが注目されているが、現在でもＡＴＭ（Ａｓｙｎｃｈｒｏｎｏｕｓ  Ｔｒａｎｓｆｅｒ  Ｍｏｄｅ：非同期転送モード）を用いたネットワークサービスも使用されている。なお、本明細書では、ＷＡＮ（Ｗｉｄｅ  Ａｒｅａ  Ｎｅｔｗｏｒｋ），ＭＡＮ（Ｍｅｔｒｏｐｏｌｉｔａｎ  Ａｒｅａ  Ｎｅｔｗｏｒｋ）もＬＡＮ（Ｌｏｃａｌ  Ａｒｅａ  Ｎｅｔｗｏｒｋ）に含まれるものとする。
【０００３】
そのため、両サービスを相互に接続し、双方のネットワークを使用するケースが存在し、ＬＡＮフレームとＡＴＭセルの相互変換を行う変換装置（以下、ＥＡ変換装置と呼ぶ）が必要になっている（特許文献１参照）。この変換方式としては、例えばＡＡＬ５（ＡＴＭ  Ａｄａｐｔａｔｉｏｎ  Ｌａｙｅｒ  ５）が用いられる。
【０００４】
ここで、特にＬＡＮが安価なＬ２（Ｌａｙｅｒ  ２）スイッチングを行うＬ２ネットワークである場合、障害発生時にＶＬＡＮ（Ｖｉｒｔｕａｌ  ＬＡＮ：仮想ネットワーク）の合流やサイレント故障の発生、ループ発生によるブロードキャストストームによる装置障害が多い。
【０００５】
このため、ネットワーク装置の運用・保守を行うＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）機能として、ＥｔｈｅｒｎｅｔＯＡＭ（ＩＥＥＥ８０２．１ａｇで審議中、ＩＴＵ−ＴではＹ．１７３１として標準化、以下、「ＥｔｈｅｒＯＡＭ」と呼ぶ）が必要になっている。なお、キャリアサービスにおいて、エンドユーザの申告による故障検出は断時間が長くなるため、キャリアサービスでは故障検出を重要視しており、ＥｔｈｅｒＯＡＭ等が標準化されることになった。
【０００６】
一方で、ＡＴＭではフラッディングを行うマルチポイント部がないため、ＬＡＮよりも簡易な方法でＯＡＭをやり取りする方式（ＩＴＵＩ．６１０）がある。
【特許文献１】特開２０００−２６１４８４号公報
【発明の開示】
【発明が解決しようとする課題】
【０００７】
ＥｔｈｅｒＯＡＭとＡＴＭのＯＡＭはそれぞれ方式が異なる。このため、図１に示すように、ＬＡＮ１とＡＴＭネットワーク２が、ＥＡ変換装置３によって相互接続されているネットワークでは、ＬＡＮ１側はＥｔｈｅｒＯＡＭで導通確認を行い、ＡＴＭネットワーク２側はＡＴＭのＯＡＭでそれぞれ導通確認を行っており、ＬＡＮ１とＡＴＭネットワーク２をまたいだ導通確認はできないという問題があった。
【０００８】
開示の装置は、レイヤ２網と非同期網をまたいだ導通確認を行うことを目的とする。
【課題を解決するための手段】
【０００９】
開示の一実施態様による変換装置は、レイヤ２網と非同期網に接続されてレイヤ２網のフレームと非同期網のセルの相互変換を行う変換装置において、
前記レイヤ２網から受信したチェックフレームを前記非同期網のチェックセルに変換し前記非同期網に送信する第１変換手段と、
前記非同期網から受信したチェックセルを前記レイヤ２網のチェックフレームに変換し前記レイヤ２網に送信する第２変換手段と、を有する。
【００１０】
好ましくは、前記レイヤ２網の仮想ネットワーク識別子と前記非同期網の仮想チャネル又は仮想パスとの対応テーブルを有し、
前記第１変換手段は、前記レイヤ２網から受信したチェックフレームを前記対応テーブルに基づいて前記非同期網のチェックセルに変換し、
前記第２変換手段は、前記非同期網から受信したチェックセルを前記対応テーブルに基づいて前記レイヤ２網のチェックフレームに変換する。
【００１１】
また、好ましくは、第１変換手段は、前記非同期網へのチェックセル又はユーザデータセルの送信からの経過時間が所定周期となった時に前記チェックセルを前記レイヤ２網に送信する。
【００１２】
更に、好ましくは、前記非同期網からのチェックセル又はユーザデータセルの受信を継続している時、所定周期でチェックフレームを生成し前記レイヤ２網に送信するチェックフレーム生成手段を有する。
【発明の効果】
【００１３】
本実施形態によれば、レイヤ２網と非同期網をまたいだ導通確認を行うことができる。
【発明を実施するための最良の形態】
【００１４】
以下、図面に基づいて実施形態を説明する。
【００１５】
＜ネットワーク接続システム＞
図２は、ネットワーク接続システムの一実施形態の構成図を示す。同図中、Ｌ２ネットワークであるＬＡＮ（レイヤ２網）１１とＡＴＭネットワーク（非同期網）１３は、ＥＡ変換装置１５によって相互接続されている。ＬＡＮ１１を構成する各ノード装置１２、ＡＴＭネットワーク１３を構成する各ノード装置１４、及びＥＡ変換装置１５それぞれはネットワークを管理するＮＭＳ（Ｎｅｔｗｏｒｋ  Ｍａｎａｇｅｍｅｎｔ  Ｓｙｓｔｅｍ）１７に接続されている。
【００１６】
ＡＴＭのＯＡＭ又はＥｔｈｅｒＯＡＭでは、所定周期（例えば１ｓｅｃ）でセル又はフレームを送受信してＣＣ（Ｃｏｎｔｉｎｕｉｔｙ  Ｃｈｅｃｋ）を行い、所定期間（例えば数ｓｅｃ）を超えて上記のセル又はフレームを受信できないときは、送信元から受信側の間で障害が発生したとみなしている。
【００１７】
ＥＡ変換装置１５は、ＥｔｈｅｒＯＡＭフレームのＣＣ（以下、「ＣＣフレーム」と呼ぶ）をＡＴＭのＯＡＭセルのＣＣ（以下、「ＣＣセル」と呼ぶ）に変換し、かつ、ＡＴＭのＣＣセルをＥｔｈｅｒＯＡＭのＣＣフレームに変換する変換処理部１６を具備して、ＥｔｈｅｒＯＡＭ網とＡＴＭのＯＡＭ網の中で非監視区間が存在しないようにする。
【００１８】
すなわち、通常のＬＡＮ１１側のノード装置１２では、ＥｔｈｅｒＯＡＭのＣＣフレームを送受信することで導通を確認できる。ＬＡＮ１１内ではこのＣＣフレームがエンドユーザフレームと区別されるが、ＥＡ変換装置１５でＥｔｈｅｒＯＡＭのＣＣフレームを通常のＡＴＭセルに変換すると、ＡＴＭネットワーク１３内ではＡＴＭのＣＣとして判断されない。
【００１９】
そこで、ＥＡ変換装置１５には、ＥｔｈｅｒＯＡＭのＣＣフレームが到着すると、それをＡＴＭのＣＣセルに変換して、ＡＴＭネットワーク１３に送信する機能を具備する。また、ＡＴＭネットワーク１３からＣＣセルが到着したときは、そのＣＣセルからＥｔｈｅｒＯＡＭのＣＣフレームを送信する機能も合わせて具備する。
【００２０】
送信するフレームやセルは保守者が設定し、ＥＡ変換装置１５で変換処理が行われる。ＡＴＭのＣＣセルはユーザデータのセルが送信されている間は送信されないので、ＥＡ変換装置１５では一定時間ユーザデータのセルが到着している場合はＡＴＭのＣＣセルが到着しなくても、ＥｔｈｅｒＯＡＭの送信周期となると自動的にＥｔｈｅｒＯＡＭのＣＣフレームを生成しＬＡＮ１１内の送信先に対して送出する。
【００２１】
これとは逆に、ＥＡ変換装置１５は、ＥｔｈｅｒＯＡＭのＣＣフレームが到着しても、ＬＡＮ１１内のユーザがＡＴＭネットワーク１３内の宛先に対してユーザデータのセルを送出している場合は、ＡＴＭネットワーク１３内の宛先に対してＡＴＭのＣＣセルを送出しない。
【００２２】
ＥＡ変換装置１５では上記の動作を行うことで、ＥｔｈｅｒＯＡＭと、ＡＴＭのＯＡＭの仕様が異なっていても、ＬＡＮ１１内のノード装置１２とＡＴＭネットワーク１３内のノード装置１４の間で導通確認が可能になる。
【００２３】
＜ＥＡ変換装置の第１実施形態＞
図３は、ＥＡ変換装置の第１実施形態の構成図を示す。同図中、物理ポート２１はＬＡＮ１１内のノード装置１２に接続されており、フレーム送受部２２はＬＡＮ１１内のノード装置１２に対しＬＡＮフレームの送受信を行う。フレーム送受部２２で受信したＬＡＮフレームはヘッダ処理部２３に供給される。
【００２４】
＜ＬＡＮからＡＴＭネットワーク方向の送信＞
ヘッダ処理部２３は、ＬＡＮフレームからタグ、タイプ、サービスクラス（ＣｏＳ）を抽出してフレーム監視部２４に供給し、これに対してフレーム監視部２４から供給される監視情報をフレーム送受部２２からのＬＡＮフレームと共にＬＡＮ／ＡＴＭ変換部２５に供給する。
【００２５】
図４にＬＡＮフレームの一例のフォーマットを示す。ＬＡＮフレームは、送信先アドレス（ＭＡＣ−ＤＡ）、送信元アドレス（ＭＡＣ−ＳＡ）、タイプ（Ｔｙｐｅ）、タグ（Ｔａｇ）の後に、データ部（ｄａｔａ又はＰａｙｌｏａｄ）と、ＦＣＳ（Ｆｌａｍｅ  Ｃｈｅｃｋ  Ｓｅｑｕｅｎｃｅ）が設けられている。
【００２６】
タグには宛先としてのＶＬＡＮタグ（ＶＬＡＮ−ＩＤ：仮想ネットワーク識別子）が設定される。また、データ部内に優先度情報としてのサービスクラス（ＣｏＳ：値は０〜７のいずれかであり、７が最優先を示す）が設定される。
【００２７】
フレーム監視部２４は、タイプからＬＡＮフレームがＥｔｈｅｒＯＡＭのＣＣフレームであるか否かを判定し、ＣＣフレームであれば、ＣＣフレーム，ＶＬＡＮ−ＩＤ，サービスクラスの値それぞれを監視情報として、ＬＡＮ／ＡＴＭ変換部２５に供給する。
【００２８】
ＬＡＮ／ＡＴＭ変換部２５は、ＬＡＮフレームがＥｔｈｅｒＯＡＭのＣＣフレームではない場合、図５に示すように、ＬＡＮフレームをＡＡＬ５フレームにマッピングし、ＡＡＬ５フレームを固定長の複数のＡＴＭセルに分解する。
【００２９】
図５において、ＡＡＬ５フレームはＬＡＮフレームにＬＬＣヘッダとＡＡＬ５トレイラが付加された構成である。ＬＬＣヘッダは、ＬＬＣ（Ｌｏｇｉｃａｌ  Ｌｉｎｋ  Ｃｏｎｔｒｏｌ）、ＯＵＩ（Ｏｒｇａｎｉｚａｔｉｏｎａｌｌｙ  Ｕｎｉｑｕｅ  Ｉｄｅｎｔｉｆｉｅｒ）、ＰＩＤ（Ｐｒｏｔｏｃｏｌ  Ｉｄｅｎｔｉｆｉｅｒ）を有し、ＡＡＬ５トレイラは、ＰＡＤ（Ｐａｄｄｉｎｇ）、ＣＰＣＳ−ＵＵ（Ｃｏｍｍｏｎ  Ｐａｒｔ  Ｃｏｎｖｅｒｇｅｎｃｅ  Ｓｕｂｌａｙｅｒ  Ｕｓｅｒ−ｔｏ−Ｕｓｅｒ  ｉｎｄｉｃａｔｉｏｎ）、ＣＰＩ（Ｃｏｍｍｏｎ  Ｐａｒｔ  Ｉｎｄｉｃａｔｏｒ）、Ｌｅｎｇｔｈ、ＣＲＣ（Ｃｙｃｌｉｃ  Ｒｅｄｕｎｄａｎｃｙ  Ｃｈｅｃｋ）を有している。
【００３０】
更に、ＬＡＮ／ＡＴＭ変換部２５は、フレーム監視部２４から監視情報として与えられたＶＬＡＮ−ＩＤを用いて宛先変換テーブル２６を参照し、ＶＣ（Ｖｉｒｔｕａｌ  Ｃｈａｎｎｅｌ）又はＶＰ（Ｖｉｒｔｕａｌ  Ｐａｔｈ）を得る。
【００３１】
宛先変換テーブル２６には、ＬＡＮ１１における宛先を示すＶＬＡＮ−ＩＤに対応してＡＴＭネットワークにおける宛先を示すＶＣ又はＶＰの値と、ＯＡＭフレームとＯＡＭセルの変換が必要か否かを示す情報が予め登録されている。
【００３２】
ＬＡＮ／ＡＴＭ変換部２５は宛先変換テーブル２６から得られたＶＣ又はＶＰを図５に示す分解された複数のＡＴＭセルのそれぞれのＡＴＭヘッダに設定して、各ＡＴＭセルをセル監視部２８，セル送受部２９を通し、ＡＴＭヘッダのＶＣ又はＶＰに対応する物理ポート３０からＡＴＭネットワーク１３内のノード装置１４に送信する。
【００３３】
一方、ＬＡＮ／ＡＴＭ変換部２５は、ＬＡＮフレームがＥｔｈｅｒＯＡＭのＣＣフレームの場合は、ＣＣフレームを監視情報と共にＯＡＭ処理部３１に渡す。
【００３４】
ＯＡＭ処理部３１は、ＣＣフレームをＣＣセルに変換し、監視情報として与えられたＶＬＡＮ−ＩＤを用いて宛先変換テーブル２６を参照してＶＣ又はＶＰを得、このＶＣ又はＶＰをＣＣセルのＡＴＭヘッダに設定する。ＯＡＭ処理部３１は、タイマ部３３で計時しているセル送信経過時間がＣＣ周期（例えば１ｓｅｃ）以内であれば、セル送信経過時間がＣＣ周期となった時点で当該ＣＣセルをＬＡＮ／ＡＴＭ変換部２５に渡し、セル送信経過時間をリセットする。
【００３５】
ＬＡＮ／ＡＴＭ変換部２５はこのＡＴＭのＣＣセルをセル監視部２８，セル送受部２９を通し、ＡＴＭヘッダのＶＣ又はＶＰに対応する物理ポート３０からＡＴＭネットワーク１３内のノード装置１４に送信する。
【００３６】
タイマ部３３では、ＣＣフレームを受信してからのＣＣフレーム受信経過時間をＶＬＡＮ−ＩＤ毎に計時し、また、ＣＣセル又はユーザデータの通常セルを受信してからのセル受信経過時間をＶＣ又はＶＰ毎に計時し、更に、ＣＣフレームを送信してからのＣＣフレーム送信経過時間をＶＬＡＮ−ＩＤ毎に計時し、また、ＣＣセル又はユーザデータの通常セルを送信してからのセル送信経過時間をＶＣ又はＶＰ毎に計時している。
【００３７】
図６及び図７にＣＣフレームの一例のフォーマットを示す。図６に示すＣＣフレームには、送信先アドレス（ＭＡＣ−ＤＡ）、送信元アドレス（ＭＡＣ−ＳＡ）、タイプ（ＶＬＡＮ）、タグ（ＣｏＳ値，ＶＬＡＮ−ＩＤ）の後に、タイプ（ＥｔｈｅｒＯＡＭ）、ＭＥＬ（ＭＥＧ  Ｌｅｖｅｌ）、バージョン、オペレーションコード、ＲＤＩ（Ｒｅｍｏｔｅ  Ｄｅｆｅｃｔ  Ｉｎｄｉｃａｔｉｏｎ）、Ｐｅｒｉｏｄ、ＴＬＶオフセット、更に、ＭＥＰ−ＩＤ（ＭＥＧ  ｅｎｄ  ｐｏｉｎｔ  Ｉｄｅｎｔｉｆｉｅｒ）、ＭＥＧ−ＩＤ（Ｍａｉｎｔｅｎａｎｃｅ  ｅｎｔｉｔｙ  Ｇｒｏｕｐ  Ｉｄｅｎｔｉｆｉｅｒ）を有している。ＭＥＧ−ＩＤは図７に示すように１３文字から表される。
【００３８】
なお、ＡＩＳが障害を下流方向に通知するのに対し、ＲＤＩは障害を上流方向に通知するための信号である。また、ＭＥＰはＥｔｈｅｒＯＡＭフレームを生成、終端する管理点を表し、ＭＥＧはＥｔｈｅｒＯＡＭにおける管理単位ＭＥの集合を表す。ＭＥＬ（ＭＥＧレベル）は０〜７の値で管理レベルを表し、ノード装置やＥＡ変換装置に予め設定されているＭＥＧレベルより小さなＭＥＬ値のＣＣフレームは廃棄され、大きなＭＥＬ値のＣＣフレームは透過転送される。Ｐｅｒｉｏｄ（周期情報）は自装置から送信する周期と相手から送信される周期が合っているかを確認するための情報である。
【００３９】
図８にＯＡＭセルの一例のフォーマットを示す。ＯＡＭセルには、ＡＴＭヘッダの後に、ＯＡＭタイプ、ファンクションタイプ、ファンクション詳細領域、ＥＤＣ（ＣＲＣ−１０）を有している。ＯＡＭタイプが「０００１」、かつ、ファンクションタイプが「０１００」であれば連続性チェックのためのＣＣセルとなる。なお、ファンクションタイプが「００００」であればＡＩＳ、ファンクションタイプが「０００１」であればＲＤＩ、ファンクションタイプが「１０００」であればループバックである。
【００４０】
＜ＡＴＭネットワークからＬＡＮ方向の送信＞
セル送受部２９はＡＴＭネットワーク１３内のノード装置１４に対しＡＴＭセルの送受信を行う。セル送受部２９で受信したＡＴＭセルはセル監視部２８に供給される。
【００４１】
セル監視部２８は、受信したＡＴＭセルのＡＴＭヘッダとＯＡＭタイプをＣＣ生成部３２に通知すると共に、受信したＡＴＭセルをＬＡＮ／ＡＴＭ変換部２５に供給する。
【００４２】
ＬＡＮ／ＡＴＭ変換部２５は、ＡＴＭセルがユーザデータのセルである通常セルの場合、図５に示すように、複数のＡＴＭセルからＡＡＬ５フレームを組み立て、ＡＡＬ５フレームからＬＡＮフレームを抽出する。そして、ＡＴＭセルのＶＣ又はＶＰを用いて宛先変換テーブル２６を参照し、得られたＶＬＡＮ−ＩＤをＬＡＮフレームのタグに設定して、ＬＡＮフレームをヘッダ処理部２３，フレーム送受部２２を通して、ＬＡＮフレームのＶＬＡＮ−ＩＤに対応する物理ポート２１からＬＡＮ１１内のノード装置１２に送信する。
【００４３】
一方、ＬＡＮ／ＡＴＭ変換部２５は、ＡＴＭセルがＣＣセルの場合、ＣＣセルをＯＡＭ処理部３１に渡す。ＯＡＭ処理部３１は、ＣＣセルをＥｔｈｅｒＯＡＭのＣＣフレームに変換する。そして、ＣＣセルのＶＣ又はＶＰを用いて宛先変換テーブル２６を参照し、得られたＶＬＡＮ−ＩＤをＣＣフレームのタグに設定して、ＬＡＮ／ＡＴＭ変換部２５に渡す。ＬＡＮ／ＡＴＭ変換部２５はこのＣＣフレームをヘッダ処理部２３，フレーム送受部２２を通して、ＣＣフレームのＶＬＡＮ−ＩＤに対応する物理ポート２１からＬＡＮ１１内のノード装置１２に送信する。
【００４４】
ここで、ＬＡＮフレームがＥｔｈｅｒＯＡＭのＣＣフレームの場合、タイプの値は０ｘ８９０２（０ｘは１６進表示を示す）がデフォルト設定される。この他に、ＯＡＭ処理部３１でタイプの値を特定値（例えば０ｘ９Ｃ００）としてもよい。これにより、ＬＡＮ１１とＡＴＭネットワーク１３をまたぐＥｔｈｅｒＯＡＭの特定のＣＣフレームであることをＬＡＮ１１内で認識することができる。
【００４５】
前述したように、タイマ部３３では、ＣＣフレームを受信してからのＣＣフレーム受信経過時間をＶＬＡＮ−ＩＤ毎に計時し、また、ＣＣセル又はユーザデータの通常セルを受信してからのセル受信経過時間をＶＣ又はＶＰ毎に計時し、更に、ＣＣフレームを送信してからのＣＣフレーム送信経過時間をＶＬＡＮ−ＩＤ毎に計時し、また、ＣＣセル又はユーザデータの通常セルを送信してからのセル送信経過時間をＶＣ又はＶＰ毎に計時している。
【００４６】
ＣＣ生成部３２では、ＶＬＡＮ−ＩＤ毎に、セル受信経過時間が所定値（例えば数ｓｅｃ）を超えておらず、かつ、ＣＣフレーム送信経過時間がＣＣ周期（例えば１ｓｅｃ）となった時に当該ＶＬＡＮ−ＩＤのＣＣフレームを自動的に生成してＯＡＭ処理部３１からＬＡＮ／ＡＴＭ変換部２５に渡し、タイマ部３３の当該ＣＣフレーム送信経過時間をリセットする。
【００４７】
ＬＡＮ／ＡＴＭ変換部２５はこのＣＣフレームをヘッダ処理部２３，フレーム送受部２２を通して、ＣＣフレームのＶＬＡＮ−ＩＤに対応する物理ポート２１からＬＡＮ１１内のノード装置１２に送信する。
【００４８】
ＯＡＭ処理部３１では、ＶＬＡＮ−ＩＤ毎に、ＣＣフレーム受信経過時間が所定値（例えば数ｓｅｃ）を超えるとアラームを生成して通信部３４からＮＭＳ１７に通知する。また、ＶＣ又はＶＰ毎に、セル受信経過時間が所定値（例えば数ｓｅｃ）を超えるとアラームを生成して通信部３４からＮＭＳ１７に通知する。
【００４９】
ところで、ＬＡＮ１１内のノード装置１２では一般的にＣＣフレームをマルチキャスト送信しており、ＡＴＭネットワーク１３内のノード装置１４ではＣＣセルをユニキャスト送信している。
【００５０】
このため、ＥＡ変換装置１５においてＣＣセルから変換されたＣＣフレームにはマルチキャスト送信を指定しても良いし、また、ＬＡＮ１１内の特定のノード装置を宛先とするユニキャスト送信を指定しても良い。
【００５１】
ＣＣフレームのマルチキャスト送信を指定するためにはＣＣフレームの送信先アドレス（ＭＡＣ−ＤＡ）に所定値（例えば０ｘ０１８０Ｃ２００ＦＦ００）を設定する。ＣＣフレームのユニキャスト送信を指定するためにはＣＣフレームの送信先アドレス（ＭＡＣ−ＤＡ）に特定のノード装置のアドレスを設定する。
【００５２】
通信部３４は、ＮＭＳ１７との間で通信を行う。これにより、ＮＭＳ１７から受信した自装置の設定情報（ＭＥＧレベル、ＭＥＧ−ＩＤ、ＭＥＰ−ＩＤ、Ｐｅｒｉｏｄ等）はメモリ３５に格納される。また、ＥＡ変換装置１５からＮＭＳ１７に送信するアラーム等の制御情報は通信部３４を通してＮＭＳ１７に送信される。
【００５３】
＜ＯＡＭフレーム送信処理＞
図９は、ＥＡ変換装置１５が実行するＯＡＭフレーム送信処理のフローチャートを示す。この処理は、ＣＣフレームの宛先（ＶＬＡＮ−ＩＤ）毎に実行される。
【００５４】
ステップＳ１０でＡＴＭセルを受信し、ステップＳ１１で受信したＡＴＭセルがＣＣセルか否かを、ＡＴＭセルのＯＡＭタイプから判別し、ＣＣセルの場合はステップＳ１２に進みＣＣフレームを生成する。そして、ステップＳ１３で生成したＣＣフレームをＬＡＮ１１に送信して処理を終了する。
【００５５】
受信したＡＴＭセルがＣＣセル以外の場合は、ステップＳ１４で通常セルか否かを判別し、通常セルでなければステップＳ１５でＬＯＣ（Ｌｏｓｓ  ｏｆ  ＣＣ）検出処理を実行して処理を終了する。
【００５６】
受信したＡＴＭセルが通常セルの場合は、ステップＳ１６でＬＡＮフレーム組み立て処理を実行する。こののち、ステップＳ１７でＡＴＭセル（ユーザデータ）又はＣＣセルが受信されてからの受信経過時間が所定時間を経過したか、つまり、ＣＣ周期であるか否かの判別を行い、受信経過時間が所定時間を経過していなければステップＳ１０に進む。
【００５７】
受信経過時間が所定時間を経過した場合、ステップＳ１２でＣＣフレームを自動的に生成する。その後、ステップＳ１３で生成したＣＣフレームをＬＡＮ１１に送信して処理を終了する。
【００５８】
＜監視処理＞
図１０は、フレーム監視部２４が実行する監視処理のフローチャートを示す。この処理は、ＬＡＮ／ＡＴＭ変換部２５からＣＣフレーム又はＣＣセルを供給された時に実行される。
【００５９】
ＯＡＭ処理部３１は、ステップＳ２１でＣＣフレーム内のＭＥＬの値が、ＮＭＳ１７から予めメモリ３５に設定されているＭＥＧレベル以下か否かを判別し、ＭＥＬの値がＭＥＧレベルを超えていればステップＳ２２でＭＥＧレベルのアラームとして検出し、通信部３４からＮＭＳ１７に送信する。
【００６０】
次に、ステップＳ２３でＣＣフレーム内のＭＥＧ−ＩＤの値が、ＮＭＳ１７から予めメモリ３５に設定されているＭＥＧ−ＩＤと同一か否かを判別し、ＭＥＧ−ＩＤが同一ではない場合にはステップＳ２４でＭＥＧ−ＩＤ不一致のアラームとして検出し、通信部３４からＮＭＳ１７に送信する。
【００６１】
次に、ステップＳ２５でＣＣフレーム内のＭＥＰ−ＩＤの値が、ＮＭＳ１７から予めメモリ３５に設定されているＭＥＰ−ＩＤと同一か否かを判別し、ＭＥＰ−ＩＤが同一ではない場合にはステップＳ２６でＭＥＰ−ＩＤのアラームとして検出し、通信部３４からＮＭＳ１７に送信する。
【００６２】
次に、ステップＳ２７でＣＣフレーム内のＰｅｒｉｏｄ（周期情報）の値が、ＮＭＳ１７から予めメモリ３５に設定されているＰｅｒｉｏｄ（周期情報）の値と同一か否かを判別し、Ｐｅｒｉｏｄの値が同一ではない場合にはステップＳ２６でＰｅｒｉｏｄ不一致のアラームとして検出し、通信部３４からＮＭＳ１７に送信する。
【００６３】
次に、ステップＳ２９でＣＣフレーム内のＲＤＩの値が１、つまりＲＤＩを受信したか否かを判別し、ＲＤＩを受信した場合にはステップＳ３０でＣＣセルのＲＤＩの値を１として送信するようＯＡＭ処理部３１に通知する。
【００６４】
次に、ステップＳ３１でＥＡ変換装置１５がアラーム状態であるか否かを判別し、アラーム状態の場合にはステップＳ３２でＡＩＳを表すＣＣセルを生成して送信するようＯＡＭ処理部３１に通知する。
【００６５】
なお、通信部３４からＮＭＳ１７にアラームを送信する際には、ＴＣＰ（Ｔｒａｎｓｍｉｓｓｉｏｎ  Ｃｏｎｔｒｏｌ  Ｐｒｏｔｏｃｏｌ）のＳｙｓｌｏｇメッセージ、又はＵＤＰ（Ｕｓｅｒ  Ｄａｔａｇｒａｍ  Ｐｒｏｔｏｃｏｌ）のＴｒａｐメッセージを用いて送信する。
【００６６】
なお、上記実施形態では、宛先変換テーブル２６を用いてＶＬＡＮ−ＩＤとＶＣ又はＶＰとの変換を行っているが、ＬＡＮ１１からＡＴＭネットワーク１３に送信するＣＣフレームのデータ部にＡＴＭネットワーク１３の宛先であるＶＣ又はＶＰを設定しておき、データ部から読み出したＶＣ又はＶＰをＣＣセルのＡＴＭヘッダに設定しても良い。
【００６７】
同様に、ＡＴＭネットワーク１３からＬＡＮ１１に送信するＣＣセルのファンクション詳細領域にＶＬＡＮ−ＩＤを設定しておき、ファンクション詳細領域から読み出したＶＬＡＮ−ＩＤをＣＣフレームのタグに設定しても良い。
【００６８】
＜ＥＡ変換装置の第２実施形態＞
図１１は、ＥＡ変換装置１５の第２実施形態の構成図を示す。同図中、図３と異なる点は、ＬＡＮ／ＡＴＭ変換部２５とセル監視部２８との間にセル優先制御部４０を設けた点である。
【００６９】
セル優先制御部４０は、フレーム監視部２４から供給される監視情報のサービスクラスの値にしたがった優先度で、ＬＡＮフレームから生成されたＡＴＭセルをセル送受部２９からＡＴＭネットワーク１３に送信する。
【００７０】
ここで、フレーム監視部２４において受信したＣＣフレーム全てに対して例えば最優先のサービスクラス（ＣｏＳ＝７）を与え、この監視情報をセル優先制御部４０に供給する構成としても良い。これにより、ＣＣフレームから変換されたＣＣセルは最優先でＡＴＭネットワーク１３に送信される。
【００７１】
＜ＥＡ変換装置の第３実施形態＞
図１２は、ＥＡ変換装置１５の第３実施形態の構成図を示す。同図中、図３と異なる点について説明する。
【００７２】
ＥＡ変換装置１５の物理ポート２１ａ，２１ｂが２つの伝送路を介してＬＡＮ１１内の同一又は異なるノード装置に接続されており、物理ポート２１ａ，２１ｂに対してリンクアグリゲーション（ＬＡＧ：リンク集合体）設定されている。フレーム送受部２２ａは物理ポート２１ａに対しＬＡＮフレームの送受信を行い、フレーム送受部２２ｂは物理ポート２１ｂに対しＬＡＮフレームの送受信を行う。
【００７３】
また、ＬＡＮ／ＡＴＭ変換部２５にはリンクアグリゲーション処理部５０が接続されている。更に、リンクアグリゲーション処理部５０に破線で示すリンクアグリゲーションテーブル５１を接続する構成としてもよい。
【００７４】
リンクアグリゲーション処理部５０は、ＬＡＮ／ＡＴＭ変換部２５にてＡＴＭセルから変換されたＬＡＮフレーム（ＣＣフレームを含む）をリンクアグリゲーションの設定がされている物理ポート２１ａ又は２１ｂからＬＡＮ１１に送信する際に、上記ＬＡＮフレームのＭＡＣ−ＤＡ，ＭＡＣ−ＳＡ等をハッシュ演算することで、物理ポート２１ａ，２１ｂのどちらから上記ＬＡＮフレーム（ＣＣフレームを含む）を送信するかを決定して、ＬＡＮ／ＡＴＭ変換部２５に通知する。
【００７５】
また、リンクアグリゲーションテーブル５１には、リンクアグリゲーションの設定がされている物理ポート２１ａ又は２１ｂを指示するＶＬＡＮ−ＩＤに対応して、物理ポート２１ａ，２１ｂのいずれか一方（例えば物理ポート２１ｂ）が予め登録されている。なお、例えば物理ポート２１ａを現用系とし、物理ポート２１ｂを予備系と設定している場合には、現用系の物理ポート２１ａを登録しておく。
【００７６】
このため、リンクアグリゲーションテーブル５１が接続されている場合、リンクアグリゲーション処理部５０は、ＣＣフレームの宛先（ＶＬＡＮ−ＩＤ）がリンクアグリゲーションの設定がされている物理ポート２１ａ又は２１ｂを指示する場合、ハッシュ演算を行わずに、ＶＬＡＮ−ＩＤでリンクアグリゲーションテーブル５１を参照して、このＣＣフレームを送信する物理ポートを決定して、ＬＡＮ／ＡＴＭ変換部２５に通知する。
【００７７】
＜マルチポイントスイッチ＞
図１３に示すように、ＬＡＮ１１内のノード装置１２がマルチポイントスイッチであり、ＭＥＰ−ＩＤ＝１の拠点１８ａ、ＭＥＰ−ＩＤ＝２の拠点１８ｂ、ＭＥＰ−ＩＤ＝３の拠点１８ｃに対し、ＥＡ変換装置１５のメモリ部３５にＭＥＰ−ＩＤ＝１，２，３が設定されている場合について考える。
【００７８】
この場合、拠点１８ａ，１８ｂ，１８ｃそれぞれの送信したＣＣフレームがノード装置１２でフラッディングされてＥＡ変換装置１５に送信され、その都度、ＥＡ変換装置１５はＣＣフレームをＣＣセルに変換してＡＴＭネットワーク１３に送信する。
【００７９】
しかし、これではＥＡ変換装置１５のオーバーヘッドが大きくなるため、ＥＡ変換装置１５は例えば拠点１８ａ，１８ｂ，１８ｃの全てからのＣＣフレームを受信した時点で１つのＣＣセルをＡＴＭネットワーク１３に送信する構成とする。これにより、ＣＣフレームが大量に受信しても規定の周期でＣＣセルを送信することになる。
（付記１）
レイヤ２網と非同期網に接続されてレイヤ２網のフレームと非同期網のセルの相互変換を行う変換装置において、
前記レイヤ２網から受信したチェックフレームを前記非同期網のチェックセルに変換し前記非同期網に送信する第１変換手段と、
前記非同期網から受信したチェックセルを前記レイヤ２網のチェックフレームに変換し前記レイヤ２網に送信する第２変換手段と、
を有することを特徴とする変換装置。
（付記２）
付記１記載の変換装置において、
前記レイヤ２網の仮想ネットワーク識別子と前記非同期網の仮想チャネル又は仮想パスとの対応テーブルを有し、
前記第１変換手段は、前記レイヤ２網から受信したチェックフレームを前記対応テーブルに基づいて前記非同期網のチェックセルに変換し、
前記第２変換手段は、前記非同期網から受信したチェックセルを前記対応テーブルに基づいて前記レイヤ２網のチェックフレームに変換する
ことを特徴とする変換装置。
（付記３）
付記２記載の変換装置において、
前記第１変換手段は、前記非同期網へのチェックセル又はユーザデータセルの送信からの経過時間が所定周期となった時に前記チェックセルを前記レイヤ２網に送信する
ことを特徴とする変換装置。
（付記４）
付記３記載の変換装置において、
前記非同期網からのチェックセル又はユーザデータセルの受信を継続している時、所定周期でチェックフレームを生成し前記レイヤ２網に送信するチェックフレーム生成手段を
有することを特徴とする変換装置。
（付記５）
付記４記載の変換装置において、
前記非同期網からのチェックセル又はユーザデータのセルの受信が前記所定周期より大きい所定期間を超えた時、チェックセルのアラームを発生するアラーム発生手段を
有することを特徴とする変換装置。
（付記６）
付記５記載の変換装置において、
前記アラーム発生手段は、前記レイヤ２網からのチェックフレームの受信が前記所定周期より大きい所定期間を超えた時、チェックフレームのアラームを発生する
ることを特徴とする変換装置。
（付記７）
付記４乃至６のいずれか１項記載の変換装置において、
前記レイヤ２網から受信したチェックフレームに含まれる優先度情報に応じた優先度で前記第１変換手段の出力するチェックセルを前記非同期網に送信する優先制御手段を
有することを特徴とする変換装置。
（付記８）
付記７記載の変換装置において、
前記第１変換手段の出力するチェックセルの優先度を予め決められた所定値に設定する優先度設定手段を
有することを特徴とする変換装置。
（付記９）
付記１乃至８のいずれか１項記載の変換装置において、
前記第２変換手段は、前記レイヤ２網に接続された複数の物理ポートがリンクアグリゲーション設定されている場合、前記変換したチェックフレームを前記複数の物理ポートのうち予め決められている物理ポートから出力する
ことを特徴とする変換装置。
（付記１０）
付記１乃至８のいずれか１項記載の変換装置において、
前記第２変換手段は、前記変換したチェックフレームの送信先アドレスに予め定められたアドレスを設定して出力する
ことを特徴とする変換装置。
（付記１１）
付記１乃至８のいずれか１項記載の変換装置において、
前記第２変換手段は、前記変換したチェックフレームの送信先アドレスにマルチキャストを設定して出力する
ことを特徴とする変換装置。
（付記１２）
付記５又は６記載の変換装置において、
前記アラーム発生手段で発生したアラームを管理システムに通知する通信手段を
有することを特徴とする変換装置。
（付記１３）
付記４乃至１２のいずれか１項記載の変換装置において、
前記レイヤ２網に送信するチェックフレームのタイプを特定値とした
ことを特徴とする変換装置。
（付記１４）
付記１記載の変換装置において、
前記第１変換手段は、前記レイヤ２網から受信したチェックフレームに含まれる仮想チャネル又は仮想パスを、変換する非同期網のチェックセルのヘッダに設定する
ことを特徴とする変換装置。
（付記１５）
付記１記載の変換装置において、
前記第２変換手段は、前記非同期網から受信したチェックセルに含まれる仮想ネットワーク識別子を、前記レイヤ２網のチェックフレームのタグに設定する
ことを特徴とする変換装置。
（付記１６）
付記１２記載の変換装置において、
前記アラーム発生手段は、前記レイヤ２網から受信したチェックフレームのＭＥＧレベルが予め自装置に設定されているＭＥＧレベルを超えている時、チェックフレームのアラームを発生する
ことを特徴とする変換装置。
（付記１７）
付記１６記載の変換装置において、
前記アラーム発生手段は、前記レイヤ２網から受信したチェックフレームのＭＥＧ−ＩＤが予め自装置に設定されているＭＥＧ−ＩＤと不一致である時、チェックフレームのアラームを発生する
ことを特徴とする変換装置。
（付記１８）
付記１７記載の変換装置において、
前記アラーム発生手段は、前記レイヤ２網から受信したチェックフレームのＭＥＰ−ＩＤが予め自装置に設定されているＭＥＰ−ＩＤと不一致である時、チェックフレームのアラームを発生する
ことを特徴とする変換装置。
（付記１９）
付記１８記載の変換装置において、
前記アラーム発生手段は、前記レイヤ２網から受信したチェックフレームのＰｅｒｉｏｄが予め自装置に設定されているＰｅｒｉｏｄと不一致である時、チェックフレームのアラームを発生する
ことを特徴とする変換装置。
（付記２０）
付記１９記載の変換装置において、
前記通信手段は、前記管理システムから受信した前記ＭＥＧレベル、前記ＭＥＧ−ＩＤ、ＭＥＰ−ＩＤ、Ｐｅｒｉｏｄそれぞれを自装置に設定する
ことを特徴とする変換装置。
【図面の簡単な説明】
【００８０】
【図１】従来のネットワーク接続システムの一例の構成図である。
【図２】ネットワーク接続システムの一実施形態の構成図である。
【図３】ＥＡ変換装置の第１実施形態の構成図である。
【図４】ＬＡＮフレームの一例のフォーマットを示す図である。
【図５】ＬＡＮフレームとＡＴＭセルとの間の変換を説明するための図である。
【図６】ＣＣフレームの一例のフォーマットを示す図である。
【図７】ＣＣフレームの一例のフォーマットを示す図である。
【図８】ＯＡＭセルの一例のフォーマットを示す図である。
【図９】ＥＡ変換装置が実行するＯＡＭフレーム送信処理のフローチャートである。
【図１０】ＯＡＭ処理部が実行する監視処理のフローチャートである。
【図１１】ＥＡ変換装置の第２実施形態の構成図である。
【図１２】ＥＡ変換装置の第３実施形態の構成図である。
【図１３】ＬＡＮのノード装置がマルチポイントスイッチである場合を説明するための図である。
【符号の説明】
【００８１】
１１  ＬＡＮ
１２  ノード装置
１３  ＡＴＭネットワーク
１４  ノード装置
１５  ＥＡ変換装置
１６  変換処理部
１７  ＮＭＳ
２１，３０  物理ポート
２２  フレーム送受部
２３  ヘッダ処理部
２４  フレーム監視部
２５  ＬＡＮ／ＡＴＭ変換部
２６  宛先変換テーブル
２８  セル監視部
２９  セル送受部
３１  ＯＡＭ処理部
３２  ＣＣ生成部
３３  タイマ部
３４  通信部
３５  メモリ
５０  リンクアグリゲーション処理部
５１  リンクアグリゲーションテーブル
【図１】
2010098433.tif 000003
【図２】
2010098433.tif 000004
【図３】
2010098433.tif 000005
【図４】
2010098433.tif 000006
【図５】
2010098433.tif 000007
【図６】
2010098433.tif 000008
【図７】
2010098433.tif 000009
【図８】
2010098433.tif 000010
【図９】
2010098433.tif 000011
【図１０】
2010098433.tif 000012
【図１１】
2010098433.tif 000013
【図１２】
2010098433.tif 000014
【図１３】
2010098433.tif 000015